(57)【要約】【課題】本発明は、記録媒体のリーダライタおよびシリアル−ＵＳＢケーブルが不要で、ＣＯＭポートを備えていないＰＣにおいても記憶媒体のデータの読み込み、書き換えを容易にできるアクセスポイントを提供することを目的とする。【解決手段】ＵＳＢポート１６と、ＵＳＢポート１６にＵＳＢケーブル３２を介してメンテナンス用ＰＣ３１が接続されるとメンテナンス用ＰＣ３１と制御部２４との間でデータの送受信を行うＵＳＢコントローラ２５を備え、制御部２４は、ＵＳＢコントローラ２５を、メンテナンス用ＰＣ３１から制御部２４を通してＣＦカード１８のファームウェアと設定ファイルを読み書き可能とするマスストレージモード、またはメンテナンス用ＰＣ３１から制御部２４が生成したターミナルデータを読み出し可能とする仮想ＣＯＭモードに設定する構成とする。【選択図】図２
2009290247.tif 000002
【特許請求の範囲】
【請求項１】
無線ＬＡＮ通信が可能な無線ＬＡＮコントローラと、少なくともファームウェアと設定ファイルが記憶された記憶媒体と、前記記憶媒体に記憶されたファームウェアと設定ファイルの設定データに基づいて前記無線ＬＡＮコントローラを制御する制御部とを備えるアクセスポイントであって、
ＵＳＢポートと、
前記ＵＳＢポートにＵＳＢケーブルを介してメンテナンス用ＰＣが接続されると、このメンテナンス用ＰＣと前記制御部との間でデータの送受信を行うＵＳＢコントローラと
を備え、
前記制御部は、前記ＵＳＢコントローラを、前記メンテナンス用ＰＣから制御部を通して前記記録媒体のファームウェアと設定ファイルを読み書き可能とするマスストレージモード、または前記メンテナンス用ＰＣから制御部が生成したターミナルデータを読み出し可能とする仮想ＣＯＭモードに設定すること
を特徴とするアクセスポイント。
【請求項２】
前記制御部に接続された設定スイッチを備え、
前記制御部は、設定スイッチの設定に応じて、前記ＵＳＢコントローラを、前記マスストレージモードまたは仮想ＣＯＭモードに設定すること
を特徴とする請求項１に記載のアクセスポイント。
【請求項３】
前記制御部は、前記記憶媒体の設定ファイルの設定に応じて、前記ＵＳＢコントローラを、前記マスストレージモードまたは仮想ＣＯＭモードに設定すること
を特徴とする請求項１に記載のアクセスポイント。
【発明の詳細な説明】
【技術分野】
【０００１】
本発明は、無線ＬＡＮ（Local Area Network）のアクセスポイントに関するものである。
【背景技術】
【０００２】
従来の無線ＬＡＮのアクセスポイントの一例が特許文献１に開示されている。
この特許文献１に開示されているアクセスポイントは、無線ＬＡＮ通信が可能な無線ＬＡＮコントローラと、制御部と、第１記録部を筐体に収納した構造とされている。前記第１記録部は、インターフェイスと外部からインターフェイスに挿抜自在に接続可能な記録媒体とより構成され、また前記制御部は、設定データを第１記録部に対して書き込み又は読み出しを行うと共に、第１記録部の設定データに基づいて、無線ＬＡＮコントローラを制御する機能を有している。
【０００３】
前記記録媒体をインターフェイスに挿入し、ユーザ設定を行うと、設定データが制御部によって記録媒体に書き込まれ、また無線ＬＡＮコントローラの使用時には、制御部が設定データを記録媒体から読み出し、この設定データに基づいて、無線ＬＡＮコントローラを制御している。
【特許文献１】特開２００６−２０３２８９号公報
【発明の開示】
【発明が解決しようとする課題】
【０００４】
アクセスポイントは一旦現場に設置されると、そのメンテナンスは、現場で、ネットワーク接続してＷｅｂ画面上などで実行されるか、記録媒体をインターフェイスから抜いて実行されるかなど、手間のかかる作業であった。比較的手間のかからない、記録媒体をインターフェイスから抜いて実行される場合でも、現場で記録媒体のファイルの読み込み、ファームウェアの上書き、設定ファイルの書き込みを行うためには、この記録媒体のリーダライタが必要となり、現場に、メンテナンス用ＰＣ以外にリーダライタを持ち込む必要があった。
【０００５】
また最近、ＰＣにおいてＣＯＭポート（シリアルポート）を備えてないものが多く、ＰＣとアクセスポイントとの間でシリアル通信を行うにはシリアル−ＵＳＢケーブルが必要となるという問題があった。
【０００６】
そこで、本発明は、記録媒体のリーダライタおよびシリアル−ＵＳＢケーブルが不要で、ＣＯＭポートを備えていないＰＣにおいても記憶媒体のデータの読み込み、書き換えを容易にできるアクセスポイントを提供することを目的としたものである。
【課題を解決するための手段】
【０００７】
前述した目的を達成するために、本発明のうち請求項１に記載の発明は、無線ＬＡＮ通信が可能な無線ＬＡＮコントローラと、少なくともファームウェアと設定ファイルが記憶された記憶媒体と、前記記憶媒体に記憶されたファームウェアと設定ファイルの設定データに基づいて前記無線ＬＡＮコントローラを制御する制御部とを備えるアクセスポイントであって、
ＵＳＢポートと、前記ＵＳＢポートにＵＳＢケーブルを介してメンテナンス用ＰＣが接続されると、このメンテナンス用ＰＣと前記制御部との間でデータの送受信を行うＵＳＢコントローラとを備え、前記制御部は、前記ＵＳＢコントローラを、前記メンテナンス用ＰＣから制御部を通して前記記録媒体のファームウェアと設定ファイルを読み書き可能とするマスストレージモード、または前記メンテナンス用ＰＣから制御部が生成したターミナルデータを読み出し可能とする仮想ＣＯＭモードに設定することを特徴とするものである。
【０００８】
上記構成によれば、ＵＳＢケーブルを使用してメンテナンス用ＰＣをＵＳＢポートに接続し、このときＵＳＢコントローラが制御部によりマスストレージモードに設定されていると、アクセスポイントはストレージデバイスと認識され、メンテナンス用ＰＣはホストとして記憶媒体にアクセスでき、記録媒体のファームウェアと設定ファイルの読み出し、書き換えが可能となる。また仮想ＣＯＭモードに設定されていると、制御部とメンテナンス用ＰＣがシリアル接続され、メンテナンス用ＰＣは制御部に生成されたターミナルデータの読み出しが可能となる。
【０００９】
また請求項２に記載の発明は、請求項１に記載の発明であって、前記制御部に接続された設定スイッチを備え、前記制御部は、設定スイッチの設定に応じて、前記ＵＳＢコントローラを、前記マスストレージモードまたは仮想ＣＯＭモードに設定することを特徴とするものである。
【００１０】
上記構成によれば、設定スイッチの設定により、ＵＳＢコントローラはマスストレージモードまたは仮想ＣＯＭモードに切り換えられる。
また請求項３に記載の発明は、請求項１に記載の発明であって、前記制御部は、前記記憶媒体の設定ファイルの設定に応じて、前記ＵＳＢコントローラを、前記マスストレージモードまたは仮想ＣＯＭモードに設定することを特徴とするものである。
【００１１】
上記構成によれば、設定ファイルの設定により、ＵＳＢコントローラはマスストレージモードまたは仮想ＣＯＭモードに切り換えられる。
【発明の効果】
【００１２】
本発明のアクセスポイントは、マスストレージモードと仮想ＣＯＭモードを有し、現場でメンテナンス用ＰＣをＵＳＢケーブルを使用して接続するだけで、マスストレージモードのとき記憶媒体のファームウェアと設定ファイルの読み出し、書き換えを行うことができ、また仮想ＣＯＭモードのとき制御部のターミナルデータを読み出すことができ、記録媒体のリーダライタおよびシリアル−ＵＳＢケーブルが不要になる、という効果を有している。
【発明を実施するための最良の形態】
【００１３】
以下、本発明の実施の形態を図面に基づいて説明する。
図１は本発明の実施の形態におけるアクセスポイントの斜視図であり、図２は、同アクセスポイントの構成を示すブロック図である。
【００１４】
図１において、１１はアクセスポイント１の筐体であり、この筐体１１は箱状に形成され、上面部１１ａ、両側面部１１ｂおよび背面部１１ｃには通気孔１２が形成されている。
【００１５】
また筐体１１の正面部１１ｄには、ＰＣ電源を接続する電源ジャック１３、接地線を接続するアースターミナル１４、ＬＡＮポート１５、ＵＳＢポート１６、複数個（図では５個）のＤＩＰスイッチ（設定スイッチの一例）１７、およびＣＦ（コンパクトフラッシュ）カード（記録媒体の一例；図２）１８が挿入されるＣＦスロット１９が設けられている。前記ＤＩＰスイッチ１７の一つは、後述するＵＳＢコントローラ２５をマスストレージモードまたは仮想ＣＯＭモードのいずれかに設定するための設定スイッチである。
【００１６】
また筐体１１の上面部１１ａには、電源表示、エラー発生表示、有線ＬＡＮ接続、有線ＬＡＮデータ送受信中、無線ＬＡＮ接続、無線ＬＡＮデータ送受信中の各ステータスをそれぞれ示す６個のＬＥＤインジケータ２０が設けられている。
【００１７】
また図２に示すように、アクセスポイント１には、筐体１１内に、アンテナ２１と、無線ＬＡＮ通信が可能な無線ＬＡＮコントローラ２２と、無線ＬＡＮコントローラ２２に接続され、有線ＬＡＮ通信が可能な有線ＬＡＮコントローラ２３と、制御部２４と、制御部２４およびＵＳＢポート１６に接続されたＵＳＢコントローラ２５と、制御部２４に接続されたＣＦスロット１９のインターフェイスコネクタ２６が設けられている。前記ＣＦカード１８には、アクセスポイント１を動作させるファームウェアと、ＩＰアドレス、通信チャンネル、セキュリティ等の設定ファイルが記憶されている。
【００１８】
前記無線ＬＡＮコントローラ２２は、アンテナ２１に接続され、ステーション４１と無線接続可能な制御装置であり、アンテナ２１を通じてステーション４１と無線信号の送受信を行う。ステーション４１には、アンテナ４２とこのアンテナ４２に接続された無線ＬＡＮコントローラ４３が設けられ、アクセスポイント１の無線ＬＡＮコントローラ２２との間でデータの送受信が行われる。
【００１９】
また前記有線ＬＡＮコントローラ２３は、有線ＬＡＮを介してＰＣと有線接続可能な制御装置であり、ＬＡＮポート１５に接続されたＬＡＮケーブル４４を通じてＰＣ４５と信号の送受信を行う。
【００２０】
またＵＳＢコントローラ２５は、ＵＳＢポート１６にＵＳＢケーブル３２を介してメンテナンス用ＰＣ３１が接続されると、このメンテナンス用ＰＣ３１と制御部２４との間でデータの送受信を行う（ＵＳＢ接続する）。
【００２１】
また前記制御部２４は、
ＣＦカード１８がＣＦスロット１９に挿入されると（インターフェイスコネクタ２６によりＣＦカード１８が確認されると）、または起動時に、インターフェイスコネクタ２６を介してＣＦカード１８に記憶されたファームウェアと設定ファイルの設定データを入力し、入力したファームウェアと設定ファイルの設定データに基づいて、無線ＬＡＮコントローラ２２を制御する通常機能と、
無線ＬＡＮコントローラ２２と有線ＬＡＮコントローラ２３と電源ジャック１３を介して供給されるアクセスポイント１の電源とをモニターし、電源表示、エラー発生表示、有線ＬＡＮ接続、有線ＬＡＮデータ送受信中、無線ＬＡＮ接続、無線ＬＡＮデータ送受信中の各ステータスを確認し、また確認したステータスにより６個のＬＥＤインジケータ２０を点灯するモニター機能と、
ＵＳＢコントローラ２５をマスストレージモードまたは仮想ＣＯＭモードに設定する設定機能
を備えている。
【００２２】
マスストレージモードは、メンテナンス用ＰＣ３１から制御部２４を通してＣＦカード１８のファームウェアと設定ファイルを読み書き可能とするモードであり、また仮想ＣＯＭモードは、メンテナンス用ＰＣ３１から制御部２４が生成したターミナルデータ（前記設定データ、ステータス）を読み出しおよび書き換え、現状のＬＡＮの設定データ、ステータスの確認を可能とするモードである。
【００２３】
また制御部２４は、マスストレージモードと仮想ＣＯＭモードのいずれか一方を、ＤＩＰスイッチ１７の設定により選択し、ＵＳＢコントローラ２５へ設定している。
すなわち、制御部２４は、図３に示すように、電源が投入され起動されると（ステップ−１）、ＵＳＢコントローラ２５を初期化し（ステップ−２）、ＤＩＰスイッチ１７の状態を確認する（ステップ−３）。
【００２４】
ＤＩＰスイッチ１７がオフ状態であると確認すると、マスストレージモードを選択する（ステップ−４）。
そして、ＵＳＢコントローラ２５より、ＵＳＢポート１６にＵＳＢケーブル３２を使用してメンテナンス用ＰＣ３１が接続されたことを示す信号を入力すると（ステップ−５）、ＵＳＢコントローラ２５をマスストレージモードに設定する（ステップ−６）。すなわち、アクセスポイント１はストレージデバイスと認識され、メンテナンス用ＰＣ３１から制御部２４を通してＣＦカード１８にアクセスでき、ＣＦカード１８のファームウェアと設定ファイルの読み出し、書き換えが可能となる。
【００２５】
またステップ−３においてＤＩＰスイッチ１７がオン状態であると確認すると、仮想ＣＯＭモードを選択する（ステップ−７）。
そして、ＵＳＢコントローラ２５より、ＵＳＢポート１６にＵＳＢケーブル３２を使用してメンテナンス用ＰＣ３１が接続されたことを示す信号を入力すると（ステップ−８）、ＵＳＢコントローラ２５を仮想ＣＯＭモードに設定する（ステップ−９）。すなわち、メンテナンス用ＰＣ３１から制御部２４に生成されたターミナルデータの読み出しおよび書き換え、現状のＬＡＮの設定データ、ステータスの確認が可能となる。
【００２６】
上記構成によるメンテナンス時の作用を説明する。なお、通常、制御部２４により、ＣＦカード１８に記憶されたファームウェアと設定ファイルの設定データに基づいて、無線ＬＡＮコントローラ２２が制御され、アクセスポイント１は無線通信の中継を行っている。
【００２７】
メンテナンス時、作業者は、メンテナンス用ＰＣ３１をＵＳＢケーブル３２を使用してＵＳＢポート１６に接続し、ＤＩＰスイッチ１７によりマスストレージモード（オフ）または仮想ＣＯＭモード（オン）を選択し、アクセスポイント１を再起動する。
【００２８】
ＤＩＰスイッチ１７によりマスストレージモードを選択した場合、作業者は、ＣＦカード１８にアクセスとしてファームウェアと設定ファイルの読み出し、書き換えを行い、アクセスポイント１のメンテナンスを行う。またＤＩＰスイッチ１７により仮想ＣＯＭモードを選択した場合、作業者は、制御部２４のターミナルデータを読み出し、書き換えを行い、現状のＬＡＮの設定データ、ステータスを確認し、アクセスポイント１をモニターする。
【００２９】
以上のように本実施の形態によれば、ＵＳＢケーブル３２を使用してメンテナンス用ＰＣ３１をＵＳＢポート１６に接続し、このときＵＳＢコントローラ２５が制御部２４によりマスストレージモードに設定されていると、アクセスポイント１はストレージデバイスと認識され、メンテナンス用ＰＣ３１はホストとしてＣＦカード１８にアクセスでき、現場で簡易にＣＦカード１８のファームウェアと設定ファイルの読み出し、書き換えを行うことができる。また仮想ＣＯＭモードに設定されていると、制御部２４とメンテナンス用ＰＣ３１がシリアル接続され、メンテナンス用ＰＣ３１は制御部２４に生成されたターミナルデータの読み出しおよび書き換えを行うことができ、設定データ、ステータスを確認することができる（モニターできる）。したがって、リーダライタや特殊なケーブルを不要とすることができ、現場に持参する用品は、メンテナンス用ＰＣ３１とＵＳＢケーブル３２だけでよくなる。
【００３０】
また本実施の形態によれば、作業者はＤＩＰスイッチ１７によりマスストレージモードまたは仮想ＣＯＭモードを選択でき、メンテナンスの目的により、自在にモードを選択することができる。
【００３１】
なお、本実施の形態では、ＤＩＰスイッチ１７によりマスストレージモードまたは仮想ＣＯＭモードを選択しているが、設定ファイルに予め設定しておき、このファイルの設定により、マスストレージモードまたは仮想ＣＯＭモードを選択するようにしてもよい。
【００３２】
また本実施の形態では、記録媒体としてＣＦカード１８を使用しているが、ＣＦカードに限る必要はなく、ＵＳＢメモリ，ＳＤカードメモリ，メモリスティック，スマートメディア，あるいはＰＣカードメモリのいずれでもよい。
【００３３】
また本実施の形態では、筐体１１の正面部１１ｄは開放されているが、安易にＣＦカード１８が抜かれないように正面部１１ｄにカバーを付けることもでき、また前記カバーを鍵付きとすると、よりＣＦカード１８が安易に抜かれる恐れを回避できる。
【００３４】
また本実施の形態では、ＣＦカード１８に、ファームウェアと設定ファイルを記憶しているが、これらファームウェアと設定ファイル以外のデータを記憶するようにしてもよい。
【図面の簡単な説明】
【００３５】
【図１】本発明の実施の形態におけるアクセスポイントの斜視図である。
【図２】同アクセスポイントの構成を示すブロック図である。
【図３】同アクセスポイントの制御部の動作を説明するフローチャートである。
【符号の説明】
【００３６】
１    アクセスポイント
１１  筐体
１５  ＬＡＮポート
１６  ＵＳＢポート
１７  ＤＩＰスイッチ
１８  ＣＦカード
１９  ＣＦスロット
２１  アンテナ
２２  無線ＬＡＮコントローラ
２３  有線ＬＡＮコントローラ
２４  制御部
２５  ＵＳＢコントローラ
２６  インターフェイスコネクタ
３１  メンテナンス用ＰＣ
３２  ＵＳＢケーブル
【図１】
2009290247.tif 000003
【図２】
2009290247.tif 000004
【図３】
2009290247.tif 000005